(57)【特許請求の範囲】
【請求項１】
ブラケットを介して固定体に取り付けられる電線収容体であって、
内部に電線を収容するケースと、
前記ケースにおける一の壁部に開口して前記電線を導入する電線導入口と、
前記ケースにおける他の壁部の外面に前記電線導入口と隣り合って設けられるブラケット係合部と、を備え、
前記ブラケット係合部は、前記他の壁部の外面から突出して設けられて前記ブラケットをスライド受け入れ可能な一対の係合レールと、該一対の係合レール間における前記他の壁部に設けられて前記ブラケットに係合可能な係合突部と、前記係合レールの基端部に沿って前記他の壁部を貫通して設けられる貫通孔と、を有し、
前記貫通孔を囲んで前記他の壁部から前記ケースの内部側に向かって立ち上がる立上壁が設けられていることを特徴とする電線収容体。
【請求項２】
前記係合レールの基端部と前記立上壁とが前記他の壁部を挟んで同一平面内に連続して形成されていることを特徴とする請求項１に記載の電線収容体。
【請求項３】
前記ブラケット係合部には、前記ブラケットに係合する際に弾性変形した前記係合突部を受け入れ可能な第二貫通孔が前記他の壁部を貫通して設けられ、
前記立上壁で前記貫通孔を囲んで形成された第一凹部と、前記立上壁で前記第二貫通孔を囲んで形成された第二凹部と、が設けられていることを特徴とする請求項１又は２に記載の電線収容体。
【請求項４】
前記ブラケット係合部には、前記一対の係合レール間における前記他の壁部の外面から突出して設けられて前記ブラケットを案内する一対の案内突部が形成され、
前記案内突部と前記立上壁とが前記他の壁部を挟んで同一平面内に連続して形成されていることを特徴とする請求項１〜３のいずれか一項に記載の電線収容体。
【請求項５】
前記立上壁は、前記電線導入口の一部と連結され、この連結位置における該電線導入口の内周面と前記立上壁の立ち上がり方向先端縁とがフラットに形成されていることを特徴とする請求項１〜４のいずれか一項に記載の電線収容体。
【発明の詳細な説明】
【技術分野】
【０００１】
本発明は、自動車等に搭載される各種の電子機器間に亘って配索される電線を収容するための電線収容体に関するものである。
【背景技術】
【０００２】
自動車等には、多種多様な電子機器が搭載され、この電子機器に電力や制御信号などを伝えるために多数の電線（ワイヤハーネス）が配索されている。電線は、例えば、異物の接触等の外部からの干渉から保護するための保護部品（プロテクタ）で覆われるとともに、この保護部品を車体（固定体）に取り付けることにより所定位置に配索されている。保護部品としては、例えば、箱状や溝状に形成された樹脂製部品であり、金属製等のブラケットを介して車体に取り付けるためのブラケット係合部を備えたものが提案されている（例えば、特許文献１参照）。
【０００３】
特許文献１記載の保護部品は、一対の側壁及び底壁を有した溝状の本体と、この本体における側壁の外面に設けられたブラケット係合部と、を備え、本体の長手方向に沿ってその内側に電線を挿通させるように構成されている。ブラケット係合部は、ブラケットを挿通させるための筒部と、筒部の外面部に設けられてブラケットと係合可能な係合部（貫通孔）と、を有し、筒部が本体側壁と一体に形成されている。このような保護部品を樹脂製一体成形部品として製造する場合には、本体側壁とブラケット係合部とを成形するための金型を用い、該金型内に溶融樹脂を射出して固化させてから、金型を開いて成形部品を取り出すような製造工程が一般的である。
【先行技術文献】
【特許文献】
【０００４】
【特許文献１】特開２００９−１８５９３４号公報
【発明の概要】
【発明が解決しようとする課題】
【０００５】
しかしながら、特許文献１に記載されたような従来の保護部品において、ブラケット係合部が複雑な構造や形状となる場合には、雄型及び雌型からなる一般的な金型を用いて製造することが困難となるため、金型に対して任意方向にスライド自在なスライド型を用いることがある。このようなスライド型を用いた場合には、スライド型をスライドさせて抜くための抜き孔が本体の側壁に形成されてしまうことがある。このような抜き孔がブラケット係合部の近傍に形成されていると、本体内部に挿通させた電線の一部が抜き孔からはみ出し、このはみ出した電線とブラケットとが干渉してしまうことがあり、特に、ブラケット係合部にブラケットを係合させる際に、電線を破損させたり断線させたりする可能性があり、問題である。なお、スライド型を用いたことによる抜き孔に限らず、ブラケット係合部の近傍に貫通孔が形成されたような部品においても、ブラケットと電線との干渉が懸念される場合があることから、それを防止することができる電線収容体が望まれている。
【０００６】
したがって、本発明は、ブラケットを用いて固定体に取り付けられる取付構造を有する場合にもブラケットと電線との干渉を防止することができる電線収容体を提供することを目的とする。
【課題を解決するための手段】
【０００７】
上記目的を達成するために請求項１に記載の電線収容体は、ブラケットを介して固定体に取り付けられる電線収容体であって、内部に電線を収容するケースと、前記ケースにおける一の壁部に開口して前記電線を導入する電線導入口と、前記ケースにおける他の壁部の外面に前記電線導入口と隣り合って設けられるブラケット係合部と、を備え、前記ブラケット係合部は、前記他の壁部の外面から突出して設けられて前記ブラケットをスライド受け入れ可能な一対の係合レールと、該一対の係合レール間における前記他の壁部に設けられて前記ブラケットに係合可能な係合突部と、前記係合レールの基端部に沿って前記他の壁部を貫通して設けられる貫通孔と、を有し、前記貫通孔を囲んで前記他の壁部から前記ケースの内部側に向かって立ち上がる立上壁が設けられていることを特徴とする。
【０００８】
請求項２に記載の電線収容体は、請求項１に記載された電線収容体において、前記係合レールの基端部と前記立上壁とが前記他の壁部を挟んで同一平面内に連続して形成されていることを特徴とする。
【０００９】
請求項３に記載の電線収容体は、請求項１又は２に記載された電線収容体において、前記ブラケット係合部には、前記ブラケットに係合する際に弾性変形した前記係合突部を受け入れ可能な第二貫通孔が前記他の壁部を貫通して設けられ、前記立上壁で前記貫通孔を囲んで形成された第一凹部と、前記立上壁で前記第二貫通孔を囲んで形成された第二凹部と、が設けられていることを特徴とする。
【００１０】
請求項４に記載の電線収容体は、請求項１〜３のいずれか一項に記載された電線収容体において、前記ブラケット係合部には、前記一対の係合レール間における前記他の壁部の外面から突出して設けられて前記ブラケットを案内する一対の案内突部が形成され、前記案内突部と前記立上壁とが前記他の壁部を挟んで同一平面内に連続して形成されていることを特徴とする。
【００１１】
請求項５に記載の電線収容体は、請求項１〜４のいずれか一項に記載された電線収容体において、前記立上壁は、前記電線導入口の一部と連結され、この連結位置における該電線導入口の内周面と前記立上壁の立ち上がり方向先端縁とがフラットに形成されていることを特徴とする。
【発明の効果】
【００１２】
請求項１に記載された発明によれば、貫通孔を囲んでケースの内部側に立ち上がる立上壁を有していることから、ケース内に収容される電線が立上壁によって貫通孔から離れる方向に案内され、電線が貫通孔からケースの外側へはみ出ることが抑制できる。従って、他の壁部を挟んで立上壁と反対側（外側）に位置するブラケット係合部の側へ電線がはみ出ないようにできることから、電線とブラケットとが干渉することがなく、電線の破損や断線を防止することができる。また、係合レールの基端部に沿って貫通孔が設けられているので、ケース及びブラケット係合部を樹脂製一体成形品として製造する際の抜き孔として貫通孔を利用することができ、スライド型を用いて効率的に電線収容体を製造することができる。
【００１３】
請求項２に記載された発明によれば、係合レールの基端部と立上壁とが同一平面内に連続して形成されていることで、これらに沿う方向であり他の壁部と交差する方向に沿ってスライド型を用いることができ、このスライド型によって係合レール及び立上壁を成形することができる。また、係合レールの基端部と立上壁とが連続して一体形成されることで、これらの強度を高めてブラケットとの係合強度を向上させることができる。
【００１４】
請求項３に記載された発明によれば、係合突部を受け入れ可能な第二貫通孔を設けた場合であっても、この第二貫通孔を囲んでケースの内部側に立上壁を設けることで、電線が第二貫通孔からケースの外側へはみ出ることが抑制できる。さらに、第二貫通孔を抜き孔として利用することができるので、複雑な形状の係合突部であってもスライド型を用いて容易かつ効率的に成形することができる。
【００１５】
請求項４に記載された発明によれば、他の壁部の外面から突出する一対の案内突部が設けられるとともに、これらの案内突部と立上壁とが同一平面内に連続して形成されていることで、案内突部と立上壁とを共通のスライド型用いて成形することができ、製造効率を向上させることができる。
【００１６】
請求項５に記載された発明によれば、立上壁と電線導入口の一部とがフラットに形成されていることで、電線導入口から導入した電線を立上壁に円滑に導いて案内することができ、電線が急激に曲げられてケース内で暴れるような配索状態となることが防止できる。
【図面の簡単な説明】
【００１７】
【図１】本発明の一実施の形態にかかる電線収容体を示す斜視図である。
【図２】前記電線収容体の内部構造を示す平面図である。
【図３】前記電線収容体の取付構造を示す斜視図である。
【図４】前記電線収容体の一部を拡大して示す斜視図である。
【図５】前記電線収容体の一部を拡大して示す断面図であり、図４に矢視Ａ−Ａ線で示す断面図である。
【図６】前記電線収容体の作用を示す部分断面図であり、図４に矢視Ｂ−Ｂ線で示す断面図である。
【発明を実施するための形態】
【００１８】
以下、本発明の一実施形態にかかる電線収容体としてのプロテクタを、図１ないし図６に基づいて説明する。本実施形態に係るプロテクタ１は、自動車等の車両に搭載されて、該車両に搭載された電子機器間に配索される電線（ワイヤハーネス）Ｗを収容するものである。電線Ｗは、車両の内部に配索され、電子機器同士の間において電力供給や信号伝達を行うものであり、コルゲートチューブＴに挿通されて保護されている。コルゲートチューブＴは、プロテクタ１の入口部分で一旦途切れることから、プロテクタ１内部においては、電線Ｗが露出された状態で収容されている。また、プロテクタ１は、固定体としての自動車等の車体やその他の適宜な取付位置に対して、ブラケットＢ（図５，６参照）を介して取り付けられるようになっている。
【００１９】
プロテクタ１は、図１に示すように、内部に電線Ｗを収容するケース２と、ケース２の上側を覆うアッパカバー３と、電線導入口７の上側を覆うサブカバー４と、を備えている。ケース２は、図２にも示すように、上方に開口した全体略矩形箱状に形成され、側壁部５（第１〜第４側壁部５Ａ，５Ｂ，５Ｃ，５Ｄ）と、側壁部５に連続して該ケース２の底面を構成する底壁部６と、を有して形成されている。側壁部５のうち、一の壁部である第１側壁部５Ａ及び第３側壁部５Ｃには、それぞれ２箇所ずつに開口する電線導入口７（７Ａ，７Ｂ，７Ｃ，７Ｄ）が設けられ、これらの電線導入口７によってコルゲートチューブＴの端部が保持されている。そして、コルゲートチューブＴに挿通された電線Ｗが電線導入口７からケース２内部に導入され、導入された電線Ｗが他の電線導入口７から導出される。
【００２０】
ケース２の内部において、電線導入口７のうちの２箇所の電線導入口７Ｂ，７Ｃにそれぞれ隣接する位置には、導入した電線Ｗを案内する電線案内部８が設けられている。これらの電線案内部８は、底壁部６からケース２の内部側（上側）に向かって立ち上がる複数の立上壁９を有して構成されている。一方、他の壁部である底壁部６の外面には、ブラケットＢと係合するブラケット係合部１０（図３参照）が２箇所に設けられている。これらのブラケット係合部１０は、それぞれ電線導入口７Ｂ，７Ｃに隣り合うとともに、底壁部６を挟んで電線案内部８の反対側（外側）に位置して設けられている。
【００２１】
ブラケット係合部１０は、図３に示すように、底壁部６の外面から突出して設けられて互いの間にブラケットＢの係合片Ｂ１をスライド受け入れ可能な一対の係合レール１１，１２と、これら一対の係合レール１１，１２の端部（電線導入口７側の端部）を連結する当接壁１３と、一対の係合レール１１，１２間における底壁部６に設けられてブラケットＢの係合孔Ｂ２に係合可能な係合突部１４と、を有する。さらに、ブラケット係合部１０は、係合レール１１，１２の基端部１１Ａ，１２Ａに沿って底壁部６を貫通して設けられるスリット状の貫通孔１５，１６と、底壁部６を貫通して設けられるとともに弾性変形した係合突部１４を受け入れ可能な第二貫通孔１７と、底壁部６の外面から突出して設けられてブラケットＢの係合片Ｂ１を案内する一対の案内突部１８，１９と、を有して構成されている。
【００２２】
一対の係合レール１１，１２は、それぞれ底壁部６から立ち上がる基端部１１Ａ，１２Ａと、各基端部１１Ａ，１２Ａの対向方向外側に延びる複数のリブ部１１Ｂ，１２Ｂと、基端部１１Ａ，１２Ａ及びリブ部１１Ｂ，１２Ｂの頂部から対向方向内側に延びる係合片部１１Ｃ，１２Ｃと、を有して断面略Ｌ字形に形成されている。一対の案内突部１８，１９は、貫通孔１５，１６挟んで係合レール１１，１２の反対側にそれぞれ設けられている。従って、一対の係合レール１１，１２間に挿入されたブラケットＢの係合片Ｂ１は、その両側端面が基端部１１Ａ，１２Ａ間に挟まれるとともに、係合片Ｂ１の上下面が係合片部１１Ｃ，１２Ｃと案内突部１８，１９との間に挟まれ、これによりブラケットＢが挿入方向（図５，６に矢印Ｘで示す方向）以外への移動が規制されるようになっている。
【００２３】
係合突部１４は、当接壁１３に向かって底壁部６の外面から徐々に外側に傾斜して延びる傾斜部１４Ａと、傾斜部１４Ａの先端側にてブラケットＢの係合孔Ｂ２と係合可能な段部１４Ｂとを有して形成されている。この係合突部１４は、係合レール１１，１２間に挿入されたブラケットＢの係合片Ｂ１に傾斜部１４Ａが押圧されることで弾性変形し、第二貫通孔１７に向かって没入することで係合片Ｂ１を通過させ、係合孔Ｂ２が段部１４Ｂに達した時点で弾性変形が解除されて復元することにより、段部１４Ｂと係合孔Ｂ２とが係合可能に構成されている。このように係合孔Ｂ２に係合突部１４が係合することで、ブラケットＢは、挿入方向の移動も規制され、ブラケットＢとケース２とが互いに移動不能に固定されるようになっている。なお、ブラケットＢをケース２から取り外す場合には、適宜な治具を用いて係合突部１４の先端部を押圧し、第二貫通孔１７に向かって係合突部１４を没入させることで、段部１４Ｂと係合孔Ｂ２との係合を解除すればよい。
【００２４】
電線案内部８における複数の立上壁９は、図４に示すように、側壁部５Ａから側壁部５Ｄと略平行にケース２内方に延びる４枚の第１立上壁９Ａ，９Ｂ，９Ｃ，９Ｄと、第１立上壁９Ａ，９Ｂ，９Ｃ，９Ｄのケース２内方側端縁を連結して側壁部５Ａと略平行に延びる第２立上壁９Ｅと、を有している。さらに、立上壁９は、第１立上壁９Ｂ，９Ｃ間に亘って側壁部５Ａと略平行に延びる２枚の第３立上壁９Ｆ，９Ｇと、第１立上壁９Ａ，９Ｂ間及び第１立上壁９Ｃ，９Ｄに亘って側壁部５Ａと略平行に延びる第４立上壁９Ｈ，９Ｊと、第１立上壁９Ｄと側壁部５Ｄとに亘って側壁部５Ａと略平行に延びる２枚の第５立上壁９Ｋ，９Ｌと、を有して構成されている。
【００２５】
以上の立上壁９において、図５にも示すように、第１立上壁９Ａ，９Ｂと第２立上壁９Ｅと第４立上壁９Ｈとが貫通孔１６を囲み、第１立上壁９Ｃ，９Ｄと第２立上壁９Ｅと第４立上壁９Ｊとが貫通孔１５を囲み、第１立上壁９Ｂ，９Ｃと第３立上壁９Ｆ，９Ｇとが第二貫通孔１７を囲んで設けられている。また、第１立上壁９Ａと係合レール１２の基端部１２Ａとが同一平面内に設けられ、第１立上壁９Ｄと係合レール１１の基端部１１Ａとが同一平面内に設けられ、第１立上壁９Ｂと案内突部１９とが同一平面内に設けられ、第１立上壁９Ｃと案内突部１８とが同一平面内に設けられ、第４立上壁９Ｈ，９Ｊと当接壁１３とが同一平面内に設けられている。即ち、貫通孔１５，１６及び第二貫通孔１７は、それぞれ複数の立上壁９に囲まれた筒状に形成され、底壁部６を挟んでケース２の内外方向に連通された連通部１５Ａ，１６Ａ，１７Ａが構成されている。このような第一凹部としての連通部１５Ａ，１６Ａにおけるケース２の外方側に係合レール１１，１２の係合片部１１Ｃ，１２Ｃが位置し、第二凹部としての連通部１７Ａにおけるケース２の外方側に係合突部１４が位置して設けられている。
【００２６】
また、ケース２は、絶縁性の合成樹脂からなり、射出成形により一体成形される。この射出成形としては、例えば、雄型及び雌型からなる主金型と、この主金型に対してスライド自在に設けられるスライド型と、を用いた成形方法が例示できる。スライド型としては、連通部１５Ａ，１６Ａ，１７Ａの内寸に応じた断面寸法を有し、底壁部６と直交する方向に沿ってスライド可能に支持されたものを用い、係合片部１１Ｃ，１２Ｃ及び係合突部１４の位置まで突出させた状態で金型内に溶融樹脂を射出してから、スライド型をケース２内方に向かって後退させることで、連通部１５Ａ，１６Ａ，１７Ａ、即ち係合レール１１，１２や係合突部１４、貫通孔１５，１６及び第二貫通孔１７とともに立上壁９を成形することができる。
【００２７】
以上のプロテクタ１によれば、図６に示すように、コルゲートチューブＴからケース２内部に導入された電線Ｗの一部が底壁部６の側に垂れ下がるように変形したとしても、立上壁９によって垂れ下がりが規制され、貫通孔１５，１６や第二貫通孔１７まで電線Ｗが達しないようになっている。なお、立上壁９の高さ寸法としては、電線Ｗの太さや剛性、連通部１５Ａ，１６Ａ，１７Ａの長さや幅寸法等に応じて適宜に設定されていればよい。また、立上壁９の高さ寸法は、電線導入口７の内周面とフラットになるように形成されていることが望ましい。このように立上壁９の上端縁と、電線導入口７の内周面の一部とがフラット（底壁部６からの高さ寸法が同一）に形成されていれば、ケース２内部に導入した電線Ｗをスムーズに案内することができ、即ち電線Ｗの曲率が大きくなることなく緩やかな曲率によって導出側の電線導入口７に向かって案内することができる。
【００２８】
本実施形態によれば、電線案内部８に複数の立上壁９が設けられ、これらの立上壁９によって電線Ｗが案内されて貫通孔１５，１６及び第二貫通孔１７側に垂れ下がらないようになっていることから、電線Ｗが貫通孔１５，１６や第二貫通孔１７からケース２の外側へはみ出ることが抑制できる。従って、ブラケットＢをブラケット係合部１０に係合させる際に、電線ＷとブラケットＢとが干渉することがなく、電線Ｗの破損や断線を防止することができる。また、貫通孔１５，１６及び第二貫通孔１７が連通部１５Ａ，１６Ａ，１７Ａと連続して設けられているので、連通部１５Ａ，１６Ａ，１７Ａを抜き孔として利用することができ、ケース２を一体成形する際にスライド型を用いることによって、ブラケット係合部１０等が複雑な形状であっても効率的に製造することができる。
【００２９】
なお、前述した実施形態は本発明の代表的な形態を示したに過ぎず、本発明は、実施形態に限定されるものではない。即ち、本発明の骨子を逸脱しない範囲で種々変形して実施することができる。
【００３０】
例えば、前記実施形態では、電線収容体がプロテクタ１である場合を例示したが、本発明の電線収容体は、プロテクタ１に限らず、内部に電線が収容されるものであれば用途は特に限定されない。即ち、電線収容体としては、例えば、内部にヒューズやリレーなどの電子部品を収容するジャンクションブロックや、ヒューズブロック、リレーブロックなどの電気接続箱であってもよいし、ドア用やスライドシート用などの各種の給電装置であってもよいし、さらにはメータ等の各種表示装置や各種照明装置などであってもよい。このような電気接続箱や給電装置等においても、その内部に電線が収容されるとともに、車体等の固定体に取り付けられることから、その取付構造として本発明の電線収容体と同様の構成を備えることで、前述した本発明と同様の作用、効果を奏することができる。また、固定体としては、自動車等の車両における車体に限らず、電線収容体を取り付け可能なものであればその種別や用途は問わない。
【符号の説明】
【００３１】
１      プロテクタ（電線収容体）
２      ケース
５      側壁部（一の壁部）
６      底壁部（他の壁部）
７      電線導入口
９      立上壁
１０    ブラケット係合部
１１，１２  係合レール
１１Ａ，１２Ａ  基端部
１４    係合突部
１５，１６  貫通孔
１５Ａ，１６Ａ  連通部（第一凹部）
１７    第二貫通孔
１７Ａ  連通部（第二凹部）
１８，１９  案内突部
Ｂ      ブラケット
Ｗ      電線
【図１】
0005859321.tif 000002
【図２】
0005859321.tif 000003
【図３】
0005859321.tif 000004
【図４】
0005859321.tif 000005
【図５】
0005859321.tif 000006
【図６】
0005859321.tif 000007